(57)【要約】  サーバを用いる原子炉格納容器作業システムにより、原子力発電施設の格納容器建屋内の構造物、システム、構成機器および作業員を監視できる。本願で開示および特許請求する発明は、概して、論理ベースのコンピュータ化された手順システム（ＣＰＳ）の動的能力を有する携帯型クライアント装置上で近距離無線通信（ＮＦＣ）を利用する方法に関する。クライアントは、原子力発電所のような大規模施設のシステム、構成機器およびセンサの現在の状態および動作をリアルタイムで監視しつつ、現場で遠隔操作により手順を実施できるようにする。このシステムに含まれるクライアントおよびサーバは、手順の遵守と手順位置管理、施設クリアランス情報、および作業命令管理（操作員の手順遵守の追跡を含む）に関するリアルタイムの監視に加えて、操作員による入力を可能にする。システムのクライアント部分は無線式であり、作成書類の回収が実際的ではない放射線区域や危険区域などの現場に持ち込めるように設計されている。クライアントは、構成機器を物理的に識別するためにＮＦＣを利用する能力があり、それによってクリアランス情報を確認できる。【選択図】図２
2018514029.tif 000002
【特許請求の範囲】
【請求項１】
複数の構成機器（２０）から成る施設（８）に対して、当該複数の構成機器のうちの特定の構成機器に係わる作業を実施するにあたり、サーバ（１２）と、当該サーバから隔たったところにあり当該サーバと互いに通信関係にあるクライアント（１６）とを使用する方法であって、当該方法は、
当該作業の一環として指令される活動を表す信号を当該サーバから当該クライアントへ送信することと、
当該指令される活動を表す出力データを当該クライアント装置に出力することと、
当該クライアントにより当該複数の構成機器のうちの所与の構成機器に呼び掛けることと、
当該クライアントが、当該所与の構成機器の識別属性を表す識別入力データを当該所与の構成機器から受信することと、
当該識別入力データを用いて当該所与の構成機器が当該特定の構成機器であることを確認することと、
当該確認に少なくとも部分的に基づいて、当該指令された活動が完了したと判断すること、から成る方法。
【請求項２】
請求項１の方法であって、さらに
前記判断に少なくとも部分的に応答して、前記作業の一環として指令される別の活動を表す信号を前記サーバから前記クライアントに送信することと、
指令される当該別の活動を表す別の出力データを前記クライアント装置に出力することを含む方法。
【請求項３】
前記クライアントにより前記所与の構成機器にさらに呼び掛け、それに応答して、前記所与の構成機器から前記所与の構成機器の状態を表す状態入力データを受信することをさらに含む、請求項１の方法。
【請求項４】
前記クライアントから前記サーバへ状態入力データを送信することをさらに含む、請求項３の方法。
【請求項５】
前記サーバ上でルーチンを実行し、当該ルーチンへの入力データとして前記状態入力データを使用することをさらに含む、請求項４の方法。
【請求項６】
前記呼び掛けが、前記クライアントによる、前記所与の構成機器の近距離通信（ＮＦＣ）装置および無線自動識別（ＲＦＩＤ）装置のうちの少なくとも１つに対する呼び掛けから成る、請求項３の方法。
【請求項７】
前記クライアントによる、前記所与の構成機器に取り付けられた一時タグの近距離通信（ＮＦＣ）装置および無線自動識別（ＲＦＩＤ）装置のうちの少なくとも１つに対する呼び掛けをさらに含む、請求項６の方法。
【請求項８】
前記クライアントによる、前記所与の構成機器の近距離無線通信（ＮＦＣ）装置および無線自動識別（ＲＦＩＤ）装置のうちの前記少なくとも１つに対する呼び掛けが、前記クライアントによる、前記所与の構成機器の近距離無線通信（ＮＦＣ）装置への呼び掛けである請求項７の方法であって、
前記所与の構成機器の前記ＮＦＣ装置により、前記一時タグの近距離無線通信（ＮＦＣ）装置および無線自動識別（ＲＦＩＤ）装置のうちの少なくとも１つに対して呼び掛けることと、
前記所与の構成機器の前記ＮＦＣ装置が、前記一時タグの近距離無線通信（ＮＦＣ）装置および無線自動識別（ＲＦＩＤ）装置のうちの少なくとも１つから、前記複数の構成機器のうちの前記一時タグを取り付けるつもりの構成機器の識別属性を表す別の識別入力データを受信することと、
前記所与の構成機器の前記ＮＦＣ装置が、当該別の識別入力データを用いて、前記一時タグを取り付けるつもりの構成機器が前記特定の構成機器であると判断することと、
当該判断に少なくとも部分的に基づいて、前記一時タグが前記特定の構成機器に正しく取り付けられているとさらに判断すること、から成る方法。
【請求項９】
施設（８）の複数の構成機器（２０）のうちの特定の構成機器に対して作業を行うにあたり使用できるシステム（４）であって、当該システムは、
サーバ装置（１２）と、
当該サーバ装置から隔たったところにありながら当該サーバ装置と通信関係にあるクライアント装置（１６）とからなり、
当該クライアント装置は、
プロセッサ（４４）および記憶装置（４８）から成るプロセッサ装置（３２）と、当該プロセッサ装置に入力信号を送信するように構成された入力装置（３６）と、当該プロセッサ装置から出力信号を受信するように構成された出力装置（４０）とから成り、
当該記憶装置には、当該プロセッサ上で実行されると当該システムに作業を実施させる指令が保存されており、
当該作業の一環として指令される活動を表す信号を当該サーバから当該クライアントへ送信することと、
当該指令される活動を表す出力データを当該クライアント装置に出力することと、
当該クライアントにより、当該複数の構成機器のうちの所与の構成機器に呼び掛けることと、
当該クライアントが、当該所与の構成機器の識別属性を表す識別入力データを当該所与の構成機器から受信することと、
当該識別入力データを用いて当該所与の構成機器が当該特定の構成機器であることを確認することと、
当該確認に少なくとも部分的に基づいて、当該指令された活動が完了したと判断すること、から成る作業であることを特徴とするシステム。
【発明の詳細な説明】
【技術分野】
【０００１】
関連出願の相互参照
本願は、参照によって本願に組み込まれる２０１５年４月２２日出願の米国仮特許出願第６２／１５１，１３５号に基づく優先権を主張する。
【背景技術】
【０００２】
本願で開示および特許請求する発明は概して原子力発電に関し、具体的には、原子力施設および関連装置において作業を実施する方法に関する。
【０００３】
とりわけ保守や検査などの作業の遂行には、作業員が、原子力発電所の格納容器建屋などの放射線管理区域に入る必要が時々ある。多くの場合において、保守・検査を遂行する人員に、監視者、品質管理顧問、監督者など別の人員が付き添うことが規則で要求されている。そのため、放射線の危険にさらされる作業員の数が増える。これら別枠で必要とされる人員には保守・検査作業を観察および監視する許可を与える必要がある。
【０００４】
原子力発電所の保守および燃料交換のための運転停止時の放射線被ばく線量を確実に、合理的に達成可能な限り低い値（ＡＬＡＲＡ）に抑えるために、現在、被ばく線量は熱ルミネッセンス線量計（ＴＬＤ）によって監視し、各線量計の画面表示による非デジタル手段で記録および追跡している。
【０００５】
また、原子力発電所のような施設では、さまざまな構成機器に対し、またはそれらの機器と連携して、保守その他のさまざまな作業を行う必要があるが、原子力発電所にはその多くが互いに外見が類似の非常に多くの構成機器が含まれる。ある施設のさまざまな構成機器の多くが似たような外見であることで作業の遂行が一層難しくなる場合があるが、その理由は、作業対象となる特定の構成機器の識別に固有の問題があるからである。
【０００６】
サーバからの動的フィードバックで正しい意思決定を補助するためのコンピュータ化された手法が開発されているが、そのような手法は主に原子力発電所の中央制御室で使用されるものである。したがって、手法の改良が望まれる。
【発明の概要】
【０００７】
原子力発電施設の格納容器建屋内の構造物、システム、構成機器および作業員を監視するために、サーバを用いる原子炉格納容器作業システムを使用することができる。本願で開示および特許請求する発明は、概して、論理ベースのコンピュータ化手順システム（ＣＰＳ）の動的能力を備えた携帯型クライアント装置上で近距離無線通信（ＮＦＣ）を使用する方法に関する。クライアントは、原子力発電所のような大規模施設のシステム、構成機器およびセンサの状態および動作をリアルタイムで監視しつつ、現場で遠隔操作により手順を実施できるようにする。このシステムに含まれるクライアントおよびサーバは、手順の遵守と手順位置管理、施設クリアランス情報、および作業命令管理（操作員の手順遵守の追跡を含む）に関するリアルタイムの監視に加えて、操作員による入力を可能にする。システムのクライアント部分は無線式であり、作成書類の回収が実際的ではない放射線区域や危険区域などの現場に持ち込めるように設計されている。クライアントは、ＮＦＣを用いて構成機器を物理的に識別する能力があり、それによってクリアランス情報の確認が可能となる。
【０００８】
したがって、本願で開示および特許請求する発明の一側面は、原子力施設等の施設において作業を実施するための改良された方法を提供することである。
【０００９】
本願で開示および特許請求する発明の別の側面は、施設の構成機器に付随するものとして当該構成機器上に設置された１つ以上のタグまたはラベルに呼び掛けるために、さらには呼び掛けられた当該構成機器が正しく識別されるように、ＮＦＣまたは無線自動識別（ＲＦＩＤ）技術を使用する改良型タブレットを提供することである。
【００１０】
本願で開示および特許請求する発明の別の側面は、施設の構成機器に取り付けられたアクティブなタグがＮＦＣまたはＲＦＩＤを用いて当該構成機器の別のタグに呼び掛けることにより、当該別のタグが当該構成機器に正しく設置されていることを確認できるようにする改良された方法を提供することである。
【００１１】
したがって、本願で開示および特許請求する発明の一側面は、複数の構成機器から成る施設に対して、当該複数の構成機器のうちの特定の構成機器が係わる作業を実施するにあたり、サーバと、当該サーバから隔たったところにあり当該サーバと互いに通信関係にあるクライアントとを使用する方法を提供することである。当該方法を概説すると、当該作業の一環として指令される活動を表す信号を当該サーバから当該クライアントへ送信することと、当該指令される活動を表す出力データを当該クライアント装置に出力することと、  当該クライアントにより当該複数の構成機器のうちの所与の構成機器に呼び掛けることと、当該クライアントが、当該所与の構成機器の識別属性を表す識別入力データを当該所与の構成機器から受信することと、当該識別入力データを用いて当該所与の構成機器が当該特定の構成機器であることを確認することと、当該確認に少なくとも部分的に基づいて、当該指令された活動が完了したと判断すること、から成る方法である。
【図面の簡単な説明】
【００１２】
本願で開示および特許請求する発明の詳細を、添付の図面を参照して以下に説明する。
【００１３】
【図１】本願で開示および特許請求する発明に基づく改良されたシステムであって、当該発明の改良された方法の実施に使用できるシステムの概略図である。
【００１４】
【図２】図１のシステムの別の概略図である。
【００１５】
【図３】図１および２のシステムのクライアントの概略図である。
【００１６】
【図４Ａ−４Ｂ】図１および２のシステムによって実施されるデータ操作の一部を示すデータフロー図である。
【００１７】
本願で使用する同じ参照番号は、同様の部分を指す。
【発明を実施するための形態】
【００１８】
図１は、原子力発電所の原子炉格納容器８に使用中のシステム４を略示する。当該システム４は、原子力発電所の格納容器８内において、画像センサ、音響機器、生体測定センサ（すなわち体温センサと心拍数モニタ）および放射線量測定による放射線管理区域からの重要なデータを、サーバ１２を用い、無線通信によって、簡便かつ効率的に送信し、当該重要なデータを、当該サーバ１２を介して、安全な非放射線管理環境にいる認証されたユーザにグローバルに送信して、原子炉運転停止時の総放射線被ばく線量を低減する。またこれにより、有資格分析者がグローバルに利用できるデータが増えることになり、当該分析者は、現地に赴かなくてもこのデータを解釈して重要な判断を下すことができる。図１の例示的なシステム４は、原子炉格納容器８内に設置されるものとして示されているが、当該システム４のサーバ１２または他の構成機器などの当該システム４の或る特定の構成機器は、本願で開示および特許請求する発明の精神または範囲から逸脱せずに、原子炉格納容器８の外に同様に設置することができる。
【００１９】
被ばく線量がＡＬＡＲＡ（合理的に達成可能な限り低い値）に確実に維持されるようにするために、当該システム４は、非放射線管理区域から格納容器建屋を視覚的および音響的に監視できるようにする。想定する総被ばく線量が増えない区域からこの監視を行うことにより、音響、視覚、生体測定、および被ばく線量に関する情報を追跡できる。これにより、格納容器内で必要とされる作業者の数が減り、格納容器への立ち入りにまつわる総合的な安全性が高まるという利点が生まれる。当該システム４はまた、別個の装置（例えば放射線センサ）によって監視される被ばく線量を追跡し、当該別個の装置はデータを監視して（無線または有線により）サーバ１２に伝達し、当該サーバはかかる情報を非放射線管理区域およびその他の場所へ伝達する。
【００２０】
通信サーバとして機能する当該サーバ１２は、原子炉格納容器を監視するすべてのセンサをローカルエリアネットワークに接続する。ローカルエリアネットワークは、収集した情報を放射線管理区域外の人員に提供して、作業員の総被ばく線量を大幅に低減するという利点がある。
【００２１】
放射線センサは、以下の例示的態様で実現できる。被ばく線量は、ｉ）サーバ装置に無線送信されるアナログ信号の出力データを発生する構成の１つ以上の熱ルミネッセンス線量計、ｉｉ）プログラム可能なレベルより低いアナログ信号の出力データを発生する構成の多数の上層選別器、および／またはｉｉｉ）１つ以上の下層選別器および当該１つ以上の上層選別器からの出力データのプログラム可能な組み合わせとしての出力データを発生する構成の１つ以上の論理回路、から成るアナログ信号測定システムによって監視できる。本願で用いる用語「多数の」およびその変化形は、広義の、１を含むゼロではない任意の数量を意味する。
【００２２】
システム４はまた、音響・映像・生体測定・放射線計測の監視システムとしても構成されており、かかるシステムは、原子力発電所の格納容器建屋内から映像・音響信号を発生させるビデオカメラを含むこともあるビデオカメラ装置と、映像、音響、生体測定および放射線計測の信号を遠隔場所に送信するための無線トランシーバとから成る。このシステムは、カメラ装置からの信号を受信するための無線受信器と、当該受信器が受信した信号を出力するための音響・映像出力端子とを有する受信器装置を併用してもよい。
【００２３】
システム４は、手順完了、プロジェクト文書管理、手順準拠のリアルタイム監視、文書の遠隔管理、および／またはプロジェクトの追跡・管理を電子的に記録する多数のルーチン５２を含む。当該システム４はさらに、作成書類の回収が実際的でない放射線領域または他の危険領域に持ち込めるように設計されたクライアント１６を含む。サーバ１２を危険領域外に設置し、そこで手順の準拠を追跡し、プロジェクト報告として作成される書類を文書化することができる。
【００２４】
図２のサーバ１２は、さまざまな適当なデータおよび他の入力データをサーバ１２に提供するシステムデータサーバ２４およびビジネスデータサーバ２８に接続されるものとして示されている。ビジネスデータサーバ２８は、原子力発電施設（図１の原子炉格納容器８として表す）の構成機器２０Ａに接続されるものとして示されている。図１の構成機器２０Ａおよびその他の構成機器２０Ｂ、２０Ｃは、原子力発電所または他の施設を構成する複数の構成機器を表している。構成機器２０Ａ、２０Ｂ、２０Ｃは、本願において、個別におよび／または集合的に参照番号２０で表すことがあり、それらの一部またはすべてがビジネスデータサーバ２８に接続されている。
【００２５】
構成機器２０は外見上互いによく似ていること、および／または互いにごく近接していることがある。そのような類似性および／または近接性は、任意特定の構成機器２０を対象とする保守またはその他の作業の実施を一層難しくすることがある（再言するが、構成機器２０Ａ、２０Ｂ、２０Ｃはいずれも、施設を構成する膨大な数の機器を単に代表するものに過ぎない）。構成機器２０の多くは、それらの特定に役立つはずの書類を利用できない原子炉環境中にあるので、上述のような作業の実施が一層困難になる可能性がある。
【００２６】
したがって、本願の例示的な実施態様で示すように、クライアント１６がサーバ１２から離れていながら、当該サーバと無線などにより通信できることは利点である。例示したクライアント１６は、図３に概要を示すように、プロセッサ装置３２、入力装置３６および出力装置４０から成るタブレット装置の形態をとる。プロセッサ装置３２は、入力装置３６から入力信号を受け取り、出力装置４０に出力信号を提供する。プロセッサ装置３２は、作動すると相互に通信可能になるプロセッサ４４および記憶装置４８から成る。記憶装置４８は、プロセッサ４４上で実行可能な前述のルーチン５２を保存しており、それを実行すると、クライアント１６および場合によってはサーバ１２が或る特定の動作をする。
【００２７】
入力装置３６は、構成機器２０に付されたバーコード８０またはその他の標識を読み取るように構成されたカメラ５６を具備する。クライアント１６はさらに、入力装置３６を構成する機器の一部とみなせる受信器６２を含むＮＦＣトランシーバ６０を具備する。クライアント１６はさらに、出力装置４０の一部であるＬＣＤディスプレイおよび／または表示ランプなどの視覚表示装置６４を具備する。当該ＬＣＤディスプレイは、クライアント１６に付いている構成機器としてのタッチスクリーンであってもよく、かかるタッチスクリーンのタッチ部分は入力装置３６の一部である。
【００２８】
図２に示す例示的な構成機器２０Ａは、構成機器２０Ａの通常の計装の一部である計装送信器６８を具備しており、当該計装送信器はビジネスサーバ２８と通信関係にあり、当該ビジネスサーバはサーバ１２と通信関係にある。計装送信器６８は、構成機器２０Ａに関連するまたは構成機器２０Ａによく見られる動作パラメータ、状態、条件などをサーバ１２に伝達するよう構成される。例えば、構成機器２０Ａが弁の場合、計装送信器６８を介して提供される可能性のあるさまざまなデータ要素は、弁のオン／オフ状態を含むことがあり、それに加えてまたはそれに代わるものとして、サーバ１２および／またはクライアント１６上に格納され実行されるコンピュータ化された論理に関連する圧力、温度、流量および／またはその他さまざまなデータを含むことがある。
【００２９】
構成機器２０Ａはさらに、構成機器２０Ａに添付または設置されるアクティブなＮＦＣ装置７２または「タグ」を含むが、当該ＮＦＣ装置は、クライアント１６のＮＦＣトランシーバ６０から呼び掛けることができるローカルトランシーバ７６を含む。ＮＦＣ装置７２は、クライアント１６から呼び掛けられると、識別信号を用いて当該クライアント１６に応答することが可能であり、当該識別信号は、受信器６２によって受信されると、構成機器２０Ａを特定する識別入力データとして機能する。次に、たった今そのＮＦＣ装置７２がクライアント１６から呼び掛けられた構成機器２０が、識別入力データをクライアント１６からサーバ１２へ無線送信することにより、技術者が作業を開始する正しい対象としての構成機器２０Ａに違いないことを確認することができる。ＮＦＣ装置７２はさらに、クライアント１６から追加のまたは別の呼び掛けを受けた場合、クライアント１６に状態信号を提供するように構成することが可能であり、当該状態信号は、受信機６２によって受信されると、例えばオン／オフ状態、温度、圧力（これらに限らない）などの、構成機器２０Ａの状態を表す状態入力データとして機能する。構成機器２０Ａの状態は、さらにクライアント１６からサーバ１２へ無線送信することが可能であり、サーバ１２上で実行されるコンピュータ化された論理への入力データとして使用される。
【００３０】
代替策または追加策として、「危険」のような警告または他の通告を含む一時タグ８４を、構成機器２０Ａに一時的に取り付けるかまたは他の方法によって設置することができる。例示的な実施態様の一時タグ８４は、ＲＦＩＤ装置と同様に機能し、クライアント１６のＮＦＣトランシーバ６０から呼び掛けられると、構成機器２０Ａを表す識別入力データを受信器６２に提供することができるという意味で受動的な、それ自身のＮＦＣ装置８８を含む。ＮＦＣ装置８８の構成によっては、状態入力データをクライアント１６に送信することもできるが、そうである必要性はない。さらに別の方法として、一時タグ８４が、ＮＦＣ装置でなくてＲＦＩＤ装置９０を用いるようにしてもよい。
【００３１】
なお、一時タグ８４のＮＦＣ装置８８は、構成機器２０のＮＦＣ装置７２から個別に呼び掛けることが可能である。例えば、一時タグ８４は前述の「危険」タグ、または「警告」もしくは「保守」タグとすることができ、そのような他の種類のタグを想定できる。「危険」タグは死亡または重傷のおそれがあることを示すタグであり、その一方で、「警告」タグは死亡または重傷ほど重大ではない何らかの問題が起きる可能性を示すタグである。「保守」タグは、その構成機器について能動的な保守が行われていることを示すものである。一時タグ８４は、一般的にはビジネスデータサーバ２８によって生成され、当該一時タグ８４が取り付けられた構成機器２０を指し示す何らかの表示を含む。図示の例では、構成機器番号「１−ＶＸＳ−００２０」が識別番号になっている。一時タグ８４は、本来取り付けるべき正しい構成機器２０とは別の構成機器に誤って取り付けられる可能性があるため、正しい構成機器２０のＮＦＣ装置７２は一時タグ８４のＮＦＣ装置８８に呼び掛けて、その呼び掛けに対する応答から、当該一時タグが本来取り付けられるべき構成機器２０の識別情報をＮＦＣ装置８８から取得することができる。ＮＦＣ装置７２は、ＮＦＣ装置８８から取得したこの情報を用いて一時タグ８４が正しい構成機器２０に取り付けられていることを確認する。すなわち、一時タグ８４から受け取った構成機器２０の識別情報が、当該構成機器のＮＦＣ装置７２に保存された当該構成機器の識別情報と一致することを確認する。そのような確認の事実は、ＮＦＣ装置７２によって、ビジネスデータサーバ２８だけでなくクライアント１６にも伝達できるが、その伝達は、当該ＮＦＣ装置８８が取り付けられているはずの構成機器２０の識別情報の、当該ＮＦＣ装置によるクライアント１６への送信とは別に実行される。一時タグ８４がそのように正しい構成機器２０に取り付けられていることを確認することで、クライアント１６と構成機器２０との間の連携がより強固になるが、その理由は、一時タグ８４を当初から違う機器に取り付けていたり、剥がれ落ちたタグを違う機器に取り付けていたり、タグの表示が消えて判読できなかったりする可能性があるからである。構成機器２０と一時タグ８４との間のＮＦＣ通信による強固な通信能力により、正しい構成機器２０を対象とする保守または他の作業が正しく行われているというさらなる確証が得られる。
【００３２】
動作については、コンピュータ化された手順が、逐次的に出力される一連の個別ステップとして、サーバ１２からクライアント１６に送られることがある。その際、各指令は直前の指令が完了したことをサーバ１２が確認するや否や、順次クライアント１６に出力される（例えばクライアントの視覚表示装置６４に表示）。そのようなコンピュータ化された手順は、ルーチン５２およびサーバ１２の論理として具体化されており、手順ステップ、入口条件、およびバックグラウンドで監視される連続的措置に関連する組込み論理を含む。コンピュータ化された手順が実行されると、クライアント１６およびサーバ１２上で論理が監視され、技術者が利用できるようにクライアント１６にリアルタイムフィードバックが提供される。さらに、作業実施の一環として１つ以上の特定の構成機器２０を識別できるようにし、その識別情報をクライアント１６とサーバ１２との間で無線交信することにより、システム４は、技術者の情報入力に応答するより高度な論理を使用できる。一例として、そのＮＦＣ装置７２がクライアント１６から呼び掛けられた構成機器２０が正しい構成機器２０ではないことが判明した場合、サーバ１２は指令を視覚表示装置６４に出力して、作業対象となる構成機器２０はたった今呼び掛けた構成機器より１０インチ左側にあることを技術者に知らせることができる。それ以外の可能性も明白である。
【００３３】
ＮＦＣとＲＦＩＤは、装置の種々の近距離通信向けに設計された無線技術である。ＲＦＩＤは、互いに見通せない１メートル以内の片方向通信を可能にすることが知られている。ＮＦＣは、数センチメートル以内における双方向データの動的な取得が可能である。この短距離通信方式は、クライアント１６がさまざまな構成機器２０に近接して設置された状況において有利であるが、さまざまな構成機器２０が外見上似ている場合に特に有利である。さらに、ＮＦＣを用いて動的な双方向データ通信を行うことにより、クライアント１６が通常はサーバ１２と直接通信するように構成されていない構成機器２０に呼び掛けて、関連する状態情報をクライアント１６経由でサーバ１２に伝えることができるようになる。
【００３４】
システム４は、ＮＦＣおよび／またはＲＦＩＤ（特定の使用例に依存する）を介して構成機器２０とその状態を自動認識する利点を活かすことにより、正しい構成機器２０が正しく作動し、正しい状態にあることを保証するのが望ましい。別の実施態様は、バーコード８０、文字認識、ＱＲタグ（これらに限らない）などを用いて構成機器２０を識別できるようにする。
【００３５】
システム４は、原子炉格納容器８に代表される原子力発電所などの施設で保守やその他の作業を実施するために使用できる。図１ではサーバ１２とクライアント１２は原子炉格納容器８内で使用されているが、本発明から逸脱せずに、サーバとクライアントの一方または両方を格納容器の外で使用できることは明白である。作業は、複数の構成機器２０のうちの特定の構成機器２０に係わるものであり、施設の所与の構成機器２０が当該作業の対象となる特定の構成機器であるか否かを識別するために、クライアント１６を使用することができる。一連の指令ステップのうちの第１のステップのような、作業の一環として指令される活動は、無線信号としてサーバ１２からクライアント１６に伝達できる。次に、指令される活動を、例えば視覚表示装置６４に表示されるテキストのような形で、クライアント１６に出力できる。そこでクライアント１６は、所与の構成機器２０内の呼び掛けられたＮＦＣ装置７２から、当該所与の構成機器２０の識別属性を表す識別入力データを受け取る。次に、サーバ１２およびクライアント１６の一方または両方が識別入力データを使用して、たった今呼び掛けられたＮＦＣ装置７２を有する所与の構成機器２０が実際に現行作業の対象となる特定の構成機器２０であることを確認することができる。
【００３６】
次に、サーバ１２およびクライアント１６の一方または両方により、指令された活動が完了したと判断されると、サーバ１２がクライアント１６に、その作業の一環として指令される別の活動を表す信号を送ることができる。例えば、視覚表示装置６４に出力される最初に指令される活動は、「構成機器１−ＶＸＳ−００２０を識別せよ」のようなものであろう。クライアント１６が、図２の構成機器２０ＡのＮＦＣ装置７２への呼び掛けによって当該構成機器を調べ、サーバ１２および／またはクライアントがそれが正しい構成機器であることを確認したら、この指令された活動は完了したと判断される。その後、例えば「構成機器１−ＶＸＳ−００２０がオフ状態であることを確認せよ」のような次に指令される活動が視覚表示装置６４に出力される。
【００３７】
前述のように、ＮＦＣ装置７２への呼び掛けの一環として、ＮＦＣ装置７２からの所与の構成機器２０Ａの状態を表す状態入力データの受信を含めることができる。状態入力データおよび／または識別入力データを、サーバ１２および／またはクライアント１６上で実行される論理ルーチンへの入力データとして使用できる。
【００３８】
このように、サーバ１２／クライアント１６の構造は、サーバとクライアント１６の両方にある施設に係わる情報の動的な更新を可能にする。その他の利点も明白である。
【００３９】
本発明の特定の実施態様について詳しく説明したが、当業者は、本開示書全体の教示するところに照らして、これら詳述した実施態様に対する種々の変更および代替を想到できるであろう。したがって、ここに開示した特定の実施態様は説明目的だけのものであり、本発明の範囲を何らも制約せず、本発明の範囲は前述の開示の全範囲である。
【図１】
2018514029.tif 000003
【図２】
2018514029.tif 000004
【図３】
2018514029.tif 000005
【図４Ａ】
2018514029.tif 000006
【図４Ｂ】
2018514029.tif 000007
【国際調査報告】
2018514029.tif 000008
2018514029.tif 000009